(57)【特許請求の範囲】
【請求項１】
ベース（１）を含む携帯電話機用ブラケットであって、
上記ベース（１）の上下両面には、それぞれ、伸縮シート（２）と透明接着シート（３）が設けられており、
上記伸縮シート（２）の下面の左右両端それぞれにはスライディング装置（４）が設けられており、
上記ベース（１）の左右両端の相応した位置に、上記スライディング装置（４）と互いにマッチングされる閉鎖式シュート（chute）（５）と開口式シュート（６）がそれぞれ設けられており、
上記閉鎖式シュート（５）の右端の上記ベース（１）には上記閉鎖式シュート （５）と貫通される孔（７）が設けられており、
上記閉鎖式シュート（５）において、上記孔（７）に近接する位置に階段式の凹溝（８）が設けられており、
上記閉鎖式シュート（５）の下面の上記ベース（１）及び上記開口式シュート（６）の下面の上記ベース（１）の相応した位置には、上記スライディング装置（４）と互いマッチングされる閉鎖式環状凸台（９）と開口式円弧形凸台（１０）がそれぞれ設けられており、
上記スライディング装置（４）は、上記伸縮シート（２）に固定連結された四角形凸台（１１）を含み、
上記四角形凸台（１１）は、連結柱（１２）を介して円形凸台（１３）が固定連結されており、
上記連結柱（１２）の直径は、上記閉鎖的シュート（５）及び上記開口式シュート（６）の最小溝幅より小さいことを特徴とする携帯電話機用ブラケット。
【請求項２】
請求項１にあって、
上記円形凸台（１３）の外径は、上記孔（７）の内径より小さい、または等しいことを特徴とする請求項１に記載の携帯電話機用ブラケット。
【請求項３】
請求項１にあって、
上記閉鎖式環状凸台（９）の左右両端それぞれは、半円形構造を具備し、上記閉鎖式環状凸台（９）の上記半円形構造の内径は上記円形凸台（１３）の外径より大きいことを特徴とする請求項１に記載の携帯電話機用ブラケット。
【請求項４】
請求項１にあって、
上記開口式円弧形凸台（１０）の内径は、上記円形凸台（１３）の外径より大きいことを特徴とする請求項１に記載の携帯電話機用ブラケット。
【請求項５】
請求項１にあって、
上記伸縮シート（２）の材質はシリカゲルであることを特徴とする請求項１に記載の携帯電話機用ブラケット。
【請求項６】
請求項１にあって、
上記ベース（１）の材質はポリカーボネートであることを特徴とする請求項１に記載の携帯電話機用ブラケット。
【発明の詳細な説明】
【技術分野】
【０００１】
本発明は、携帯電話機用の部品の技術分野に関し、具体的には、両手を自由に使うことができ、且つ、片手操作が容易な携帯電話機用ブラケットに関するものである。
【背景技術】
【０００２】
現在、携帯電話機などモバイル機器は、社会生活の中における応用がますます広範囲になっており、その使用頻度がますます高まっているところ、長時間の間、携帯電話機を手に握って保持していると使用者に一定の負担を与えることになる。特に、特別な場所、例えば、運転中に携帯電話機のナビゲーションを使用すると、両手が自由にならないため、使用者に安全上のリスクを与える。また、それだけではなく、携帯電話のオペレーションシステムとタッチスクリーンの技術がますます発展するにしたがって、スクリーンが大きくなることにより、片手操作にも一定の困難が存在するところ、手が小さい女性や、眠る前に携帯電話機を使用する人たちにとって、片手操作が非常に難しく、携帯電話機を落としやすくなり、怪我をすることがある。
【０００３】
上記関連技術での問題に対して、まだ効果的な解決手段は提示されてない。
【発明の概要】
【発明が解決しようとする課題】
【０００４】
本発明は、両手を自由に使用することができるとともに、片手操作が容易な携帯電話機用ブラケットに関するものである。
【課題を解決するための手段】
【０００５】
上記技術的課題を解決するために、本発明は下記のような課題解決手段を用いる。
【０００６】
ベースを含む携帯電話機用ブラケットであって、上記ベースの上下両面には、それぞれ、伸縮シートと透明接着シートが設けられており、上記伸縮シートの下面の左右両端それぞれにはスライディング装置が設けられており、上記ベースの左右両端の相応した位置に、上記スライディング装置と互いにマッチングされる閉鎖式シュート（chute）と開口式シュートがそれぞれ設けられており、上記閉鎖式シュートの右端の上記ベースには上記閉鎖式シュートと貫通される孔が設けられており、上記閉鎖式シュートにおいて、上記孔に近接する位置に階段式の凹溝が設けられており、上記閉鎖式シュートの下面の上記ベース及び上記開口式シュートの下面の上記ベースの相応した位置には、上記スライディング装置と互いマッチングされる閉鎖式環状凸台と開口式円弧形凸台がそれぞれ設けられており、上記スライディング装置は、上記伸縮シートに固定連結された四角形凸台を含み、上記四角形凸台は、連結柱を介して円弧形凸台が固定連結されており、上記連結柱の直径は、上記閉鎖的シュート及び上記開口式シュートの最小溝幅より小さい。
【０００７】
また、上記円形凸台の外径は、上記孔の内径より小さい、または等しい。
【０００８】
また、上記閉鎖式環状凸台の左右両端それぞれは、半円形構造を具備する。そして、上記閉鎖式環状凸台の上記半円形構造の内径は上記円形凸台の外径より大きい。
【０００９】
また、上記開口式円弧形凸台の内径は、上記円形凸台の外径より大きい。
【００１０】
また、上記伸縮シートの材質はシリカゲルである。
【００１１】
また、上記ベースの材質はポリカーボネートである。
【発明の効果】
【００１２】
本発明は、伸縮シート及びスライディング装置を設けることを通じて片手操作時に指がアーチ形にされた伸縮シートを通過出来るようにし、更に、片手操作をより容易にすることで、片手操作時に携帯電話機が落ちることを防止することができ、併せて、伸縮シートのアーチ形の高さを調節することによって、携帯電話機を直接に安着面の上に置くことができるから、両手を自由に使用することができる。
【図面の簡単な説明】
【００１３】
以下、本発明の実施例又は先行技術中の技術的解決手段をより明確に説明するために、実施例の中、必要な図面を簡単に紹介する。下記で説明される図面等は、単に本発明の一例であり、本技術分野の通常の技術者は、進歩性創出に励まない前提の下でこの図面を根拠として他の図面を得ることができる。
【図１】図１は、本発明の実施形態による携帯電話機用ブラケットの構造図である。
【図２】図２は、本発明の実施形態によるベースの構造図である。
【図３】図３は、本発明の実施形態によるシートの構造図である。
【発明を実施するための形態】
【００１４】
下記の本発明の実施例の中の図面と結び付けて、本発明の実施例の中の技術的解決手段について、明確且つ完全に説明を行うこととする。説明される実施例は、本発明の単なる一実施例であり、本発明の全ての実施例ではない。 本技術分野の通常の技術者が本発明に従った実施例に基づいて得られる他実施例は、全て、本発明の保護範囲に属するべきである。
【００１５】
図１から図３に示されるように、本発明の実施例に係る携帯電話機用のブラケットは、ベース（１）を含み、上記ベース（１）の上下両面には、それぞれ、伸縮シート（２）と透明接着シート（３）が設けられており、上記伸縮シート（２）の下面の左右両端それぞれにはスライディング装置（４）が設けられており、上記ベース（１）の左右両断の相応する位置に、上記スライディング装置（４）と互いにマッチングされる閉鎖式シュート（５）と開口式シュート（６）がぞれぞれ設けられており、上記閉鎖式シュート（５）の右端の上記ベース（１）には、上記閉鎖式シュート（５）と貫通される孔（７）が設けられてあって、上記閉鎖式シュート（５）において上記孔（７）に近接する位置に階段式凹溝（８）が設けられてあって、上記閉鎖式シュート（５）の下面の上記ベース（１）及び上記 開口式シュート（６）の下面の上記ベース（１）に相応した位置には、上記スライディング装置（４）と互いマッチングされる閉鎖式環状凸台（９）と開口式円弧形凸台（１０）がそれぞれ設けられており、上記スライディング設置（４）は上記伸縮シート（２）に固定連結された四角形凸台（１１）を含み、上記四角形凸台（１１）は連結柱（１２）を介して円弧形凸台（１３）が固定連結されており、上記連結柱（１２）の直径は上記閉鎖式シュート（５）及び上記開口式シュート（６）の最小溝幅より小さい。
【００１６】
一実施例では、上記円弧形凸台（１３）の外径は、上記孔（７）（7）の内径より小さいか、または等しい。
【００１７】
一実施例では、上記閉鎖式環状凸台（９）の左右両端それぞれは、半円形構造を具備しており、上記閉鎖式環状凸台（９）の上記半円形構造の内径は、上記円形凸台（１３）の外径より大きい。
【００１８】
一実施例では、上記開口式円弧形凸台（１０）の内径は、上記円形凸台（１３）の外径より大きい。
【００１９】
一実施例では、上記伸縮シート（２）の材質はシリカゲルである。
【００２０】
一実施例では、上記ベース（１）の材質はポリカーボネートである。
【００２１】
本発明は上記技術的解決手段を容易に理解するために、以下の具体的な応用方法を通じて本発明の上記技術的解決数段について詳細に説明する。
【００２２】
具体的な応用として、上記スライディング装置（４）、上記閉鎖的シュート（５）、及び上記開口式シュート（６）は、伸縮シート（２）のアーチ形の部分の高さを調節することができるので、指がアーチ形の山形面を通過できるようにして、使用者が携帯電話機を置きたいときに伸縮シート（２）のアーチ形の部分の高さについて相応した調節を行うことにより、上記伸縮シート（２）が携帯電話機を直接支持することができる。
【００２３】
上述した内容を総合すると、本発明の上記技術的解決手段によると、伸縮シート（２）及びスライディング装置（４）を設けることを通じて、片手操作する際に、指がアーチ形にされた伸縮シートを通過できるようになるので、さらに片手操作がより容易になり、また、片手操作する際に携帯電話機が落ちることを防止することができ、併せて、伸縮シート（２）のアーチ形の高さを調整することを通じて、携帯電話機を直接に安着面の上に置くことが出来るため、両手を自由に使用することができる。
【００２４】
以上、上述した内容は、単に本発明の望ましい実施例であり、本発明を限定するものではなく、本発明の思想と原則内で行われた任意の修正、等価物、改善などはすべて本発明の保護範囲に属するべきである。
【図１】
0006432106.tif 000002
【図２】
0006432106.tif 000003
【図３】
0006432106.tif 000004